(57)【要約】【課題】安定した微細水マイナスイオンを浴室内に供給する。【解決手段】本体下部のルーバー１に吸込み口２と吹出し口３を設け、浴室内の空気を吸込むためのファン４とモーターを吸込み口２の下流側に設け、排気アダプター９まで連通する排気風路７と、浴室内に循環させる循環風路８を設け、循環風路８には静電霧化装置１０、および熱源ヒータ１１を設け、静電霧化装置１０の発生部１６の上流側近傍に遮蔽壁２２を設け、風速の早い風が直接発生部１６に当たらないようにすることを特徴とする浴室換気乾燥機を提供する。【選択図】        図５
2008151488.tif 000002
【特許請求の範囲】
【請求項１】
本体下部のルーバーに吸込み口と吹出し口とを設け、浴室内の空気を吸込むためのファンとモーターとを前記吸込み口の下流側に設け、前記吸込み口から排気アダプターまでを連通する排気風路と、前記吸込み口から前記吹出し口までを連通する循環風路とを設けた浴室換気乾燥機であって、前記循環風路に静電霧化装置と熱源ヒータとを設けたことを特徴とする浴室換気乾燥機。
【請求項２】
前記循環風路として、前記熱源ヒータを通過しないバイパス循環風路を設け、前記静電霧化装置を前記バイパス循環風路に設けたことを特徴とする請求項１に記載の浴室換気乾燥機。
【請求項３】
前記静電霧化装置の上流側近傍に壁を設けたことを特徴とする請求項２に記載の浴室換気乾燥機。
【発明の詳細な説明】
【技術分野】
【０００１】
本発明は、静電霧化装置を搭載し、浴室内にカビを生えにくくする浴室換気乾燥機に関する。
【背景技術】
【０００２】
近年、一般家庭における浴室の換気装置の設置が多くなるに伴い、浴室を利用して洗濯物を乾燥させる乾燥機能を有し、さらに冬場のヒートショックを緩和するために浴室内を暖房することができる浴室換気乾燥機が普及してきている。また、建築基準法が改正され新築住宅にあっては常時換気の機能を有する換気装置の設置が義務付けられ、ますますこの種の浴室換気乾燥機の普及が拡大してきている。
今までこの種の浴室換気乾燥機として、換気・乾燥・暖房機能を主機能としたものが多く普及していた。しかし、設置場所が高湿条件が長く続く環境下である浴室ということもあり、どうしてもカビが生えやすく、またカビ取り時に使用する各種の洗剤等の刺激臭などで気分を害することもしばしばあるため、浴室換気乾燥機に浴室のカビを生えにくくするための機能が強く要望されており、ごく最近、放電式正負イオンを発生させる商品等が開発されている（例えば、特許文献１参照）。
【特許文献１】特開２００４−２１１９６１号公報
【発明の開示】
【発明が解決しようとする課題】
【０００３】
しかしながら、従来の浴室換気乾燥機は次のような課題がある。
放電式正負イオンではその寿命が課題であり、一般的にカビを抑制する効果の時間が短く、せっかく放電式正負イオンを発生させてもカビ等の浮遊菌に結合できないまま消滅してしまうという課題がある。
また、放電式のため、環境条件によって、放電の仕方や放電量が変化し、正負イオンが安定して発生しにくいという課題がある。
【０００４】
本発明は、安定した微細水マイナスイオンを浴室内に供給することを目的としている。
【課題を解決するための手段】
【０００５】
請求項１記載の本発明の浴室換気乾燥機は、本体下部のルーバーに吸込み口と吹出し口とを設け、浴室内の空気を吸込むためのファンとモーターとを前記吸込み口の下流側に設け、前記吸込み口から排気アダプターまでを連通する排気風路と、前記吸込み口から前記吹出し口までを連通する循環風路とを設けた浴室換気乾燥機であって、前記循環風路に静電霧化装置と熱源ヒータとを設けたことを特徴とする。
この手段により、静電霧化装置から水分子を利用した微細水マイナスイオンを発生させ、浮遊しているカビと結合して浮遊カビを除去する作用は変わらずに、イオンの外側が水分子で包まれているために、作用の持続する時間も長く、そのためより多く浮遊カビと結合しやすくなる。また、前述ようにイオンの外側が水分子で包まれているため、においの成分等にも結合し、においの成分を分解し、においをやわらげることができる。
また、微細水マイナスイオンを安定的に発生させることができる。しかも、温風風路と別の循環風路のため、温風による微細水マイナスイオンへの影響も少ない。
請求項２記載の本発明は、請求項１に記載の浴室換気乾燥機において、前記循環風路として、前記熱源ヒータを通過しないバイパス循環風路を設け、前記静電霧化装置を前記バイパス循環風路に設けたことを特徴とする。
請求項３記載の本発明は、請求項２に記載の浴室換気乾燥機において、前記静電霧化装置の上流側近傍に壁を設けたことを特徴とする。
この手段により、前述と同様、微細水マイナスイオンを安定的に発生させることができる。これは、発生部に直接風速の早い風があたると静電により十分に微細なものにならず、放出されるため、微細水マイナスイオンとして安定したものにならないためである。
【発明の効果】
【０００６】
本発明によれば、確実に浮遊カビを減少させカビの発生がしにくく、においも減少した浴室空間を作り出すことができる浴室換気乾燥機を提供できる。
【発明を実施するための最良の形態】
【０００７】
本発明の第１の実施の形態による浴室換気乾燥機は、本体下部のルーバーに吸込み口と吹出し口を設け、浴室内の空気を吸込むためのファンとモーターを吸込み口の下流側に設け、排気アダプターまで連通する排気風路と、浴室内に循環させる循環風路を設け、循環風路には静電霧化装置、及び熱源ヒータを設け、静電霧化装置の発生部を熱源ヒータより吸込み側で分岐させ吹出し口まで連通させたバイパス循環風路に設けたものである。ここでマイナスイオンの発生装置を静電霧化装置としたのは、そのイオンの外側を水分子が包んでおり、長い時間マイナスイオンとしての作用を継続することができるためである。本実施の形態によれば、浴室内のカビ浮遊を除去し、カビの発生しにくい浴室空間を作り出すことができる。また、においについても、マイナスイオンがにおい成分に結合し、においの成分を包んでいる水分子内に取り込まれ、においをやわらげることができる特徴がある。また、微細水マイナスイオンを安定的に発生させることができ、前述と同様の浴室空間を作り出すことができる。
本発明の第２の実施の形態は、第１の実施の形態による浴室換気乾燥機において、循環風路として、熱源ヒータを通過しないバイパス循環風路を設け、静電霧化装置をバイパス循環風路に設けたものである。本実施の形態によれば、静電霧化装置を通る風は熱源ヒータにより暖められた風ではなく、浴室からの吸い込み温度に近い風温度のため、放電極が高温とならずに安定した霧化現象となり、安定して微細水マイナスイオンを放出することができる。
本発明の第３の実施の形態は、第２の実施の形態による浴室換気乾燥機において、静電霧化装置の上流側近傍に壁を設けたものである。本実施の形態によれば、壁により発生部に直接風速の早い風があたらないように遮蔽するために、微細水マイナスイオンが風の影響を受けずに発生させることが可能である。
以下、本発明の実施の形態について図面を参照しながら説明する。
（実施の形態１）
【０００８】
図１は本発明の実施の形態１による浴室換気乾燥機を示す構成図である。
図２と図３はそれぞれ暖房、換気のダンパー位置の構成図である。
本体下部のルーバー１に吸込み口２と吹出し口３を設け、浴室内の空気を吸込み口２よりファン４とファン４を駆動させるモーター（図示せず）を用いて矢印aのように吸込む。ダンパー５により浴室から吸込んだ空気を排気しながら循環も同時におこなう場合、いわゆる乾燥、涼風をおこなう場合は、ダンパー５を図１のようにダンパーシャフト６を中心としてダンパーモーター（図示せず）を用いて回動させ、浴室から吸込んだ空気を排気風路７と循環風路８へ同時に搬送し、一定量を排気アダプター９に取りつけたダクト（図示せず）を介して屋外に排出し、残りを静電霧化装置１０から微細水マイナスイオン（いわゆるナノサイズのマイナスイオンミスト）として放出する。そして、微細水マイナスイオンを浮遊しているカビ菌と結合させ、カビ菌を微細水にて包み込み、熱源ヒータ１１により加熱（乾燥）し（涼風をおこなう場合は熱源ヒータ１１を停止させる。）、温風として、吹出し口３より浴室内に再び吹出させる。ここでいう熱源ヒータとは、電気により発熱するセラミックヒータ、輻射ハロゲンヒータ、カーボンランプヒータいずれでも同様な効果が得られ、図１は一例としてセラミックヒータを記載している。このとき吹き出した風はカビ菌を微細水にて包んでいるものが含まれており、これらが、すばやく床面等に付着するため、浮遊しているカビ菌を減少させることが可能である。よってカビを生えにくくすることができる。また微細水マイナスイオンは浴室内の空気に含まれる、においの成分とも結合し、においの成分を包み込み、においをやわらげることも可能である。
【０００９】
また、浴室から吸込んだ空気を排気する場合、いわゆる換気をおこなう場合は、ダンパー５を図２のようにダンパーシャフト６を中心にしてダンパーモーター（図示せず）を用いて回動させ、浴室から吸込んだ空気を矢印ｂのように排気風路７へ搬送し排気アダプター９に取りつけたダクト（図示せず）を介して屋外に排出する。
また、浴室から吸込んだ空気を浴室内に循環させる場合、いわゆる浴室の暖房をおこなう場合は、ダンパー５を図３のようにダンパーシャフト６を中心にしてダンパーモーター（図示せず）を用いて回動させ、浴室から吸込んだ空気を矢印ｃのように循環風路８へ搬送し、熱源ヒータ１１により加熱し温風として、吹出し口３より浴室内に再び吹出させ、浴室内の寒さを緩和することができる。
（実施の形態２）
【００１０】
図４から図６は本発明の実施の形態２による浴室換気乾燥機を示す構成図である。なお、実施の形態１の浴室換気乾燥機と同一機能部材には同一符号を付して説明を省略する。
図４に示すように、静電霧化装置１０で放出した微細水マイナスイオンを浴室内に循環風によって放出するために、静電霧化装置１０の発生部１６に風を流す必要があり、本発明では、熱源ヒータ１１の上流側の循環風路８から、熱源ヒータ１１へ連通する風路とは別のバイパス風路１７を設け、このバイパス風路１７内に静電霧化装置１０を設けている。このため静電霧化装置１０を通る風は熱源ヒータ１１により暖められた風ではなく、浴室からの吸い込み温度に近い風温度のため、放電極１２が高温とならずに安定した霧化現象となり、安定して微細水マイナスイオンを放出することができる。
【００１１】
図６は遮蔽壁と開口部の寸法図である。
静電霧化装置１０の発生部１６の上流側近傍に遮蔽壁２２を設け、風速の早い風が直接発生部１６に当たらないようにする。遮蔽壁２２は発生部１６を確実に遮蔽できる大きさ２５ｍｍ×７０ｍｍとし、また発生部１６の風速は０．１ｍ／ｓ以下となるようにする。ただし、発生部１６から放出される微細水マイナスイオンを浴室内に放出するため、バイパス風路１７を通過する風速は、０．１〜０．５ｍ／ｓとなるように遮蔽壁２２の周囲の開口部２３の開口面積を調整する。
【産業上の利用可能性】
【００１２】
本発明の浴室換気乾燥機は、安定した微細水マイナスイオン量を発生させ、浮遊カビを減少させるため、カビの発生がしにくく、においも抑制した浴室空間を作ることができる。
【図面の簡単な説明】
【００１３】
【図１】本発明の実施の形態１の浴室換気乾燥機の構成図
【図２】同浴室換気乾燥機の暖房のダンパー位置の構成図
【図３】同浴室換気乾燥機の換気のダンパー位置の構成図
【図４】本発明の実施の形態２の浴室換気乾燥機の構成図
【図５】同浴室換気乾燥機の構成図
【図６】同浴室換気乾燥機の遮蔽壁と開口部の寸法図
【符号の説明】
【００１４】
１  ルーバー
２  吸込み口
３  吹出し口
４  ファン
５  ダンパー
６  ダンパーシャフト
７  排気風路
８  循環風路
９  排気アダプター
１０  静電霧化装置
１１  熱源ヒータ
１７  バイパス風路
２２  遮蔽壁
２３  開口部
【図１】
2008151488.tif 000003
【図２】
2008151488.tif 000004
【図３】
2008151488.tif 000005
【図４】
2008151488.tif 000006
【図５】
2008151488.tif 000007
【図６】
2008151488.tif 000008